(57)【特許請求の範囲】
【請求項１】
定置できる器体を有して、内容液をヒータで加熱して湯沸しや保温を行って貯湯し、貯湯している内容液を、吐出操作部材を操作して吐出スイッチをオンし吐出手段を働かせることにより、吐出路を通じ吐出し、使用に供する電気貯湯容器において、
吐出流量を少なめに設定して吐出させる第１の吐出スイッチと、第１の吐出スイッチと同時に働くことで吐出流量を多めに設定して吐出させる第２の吐出スイッチと、第１の吐出スイッチを単独で働かせる単独操作可能な少なめ吐出操作部材と、第２の吐出スイッチを働かせる操作に少なめ吐出操作部材を連動させて第１の吐出スイッチを働かせるのと同時に第２の吐出スイッチを働かせる多め吐出部材とを備え、少なめ、多め各吐出操作部材は、器体の上端の前部の上面に後部の回動支点側から前部に延びるように設けられたレバーよりなり、多め吐出操作部材の回動支点から操作点までの長さは、少なめ吐出操作部材の回動支点から操作点までの長さよりも長いことを特徴とする電気貯湯容器。
【請求項２】
定置できる器体を有して、内容液をヒータで加熱して湯沸しや保温を行って貯湯し、貯湯している内容液を、吐出操作部材を操作して吐出スイッチをオンし吐出手段を働かせることにより、吐出路を通じ吐出し、使用に供する電気貯湯容器において、
吐出流量を少なめに設定して吐出させる第１の吐出スイッチと、第１の吐出スイッチと同時に働くことで吐出流量を多めに設定して吐出させる第２の吐出スイッチと、第１の吐出スイッチを単独で働かせる単独操作可能な少なめ吐出操作部材と、第２の吐出スイッチを働かせる操作に少なめ吐出操作部材を連動させて第１の吐出スイッチを働かせるのと同時に第２の吐出スイッチを働かせる多め吐出部材とを備え、少なめ、多め各吐出操作部材の、回動支点から対応する第１、第２吐出スイッチを押動する押動点までの距離と、回動支点から操作点までの距離とのレバー比が、ほぼ同等であることを特徴とする電気貯湯容器。
【発明の詳細な説明】
【技術分野】
【０００１】
本発明は内容液を加熱して湯沸しや保温を行い貯湯し使用に供する電気貯湯容器に関し、詳しくは、定置できる器体を有して、内容液をヒータで加熱して湯沸しや保温を行って貯湯し、貯湯している内容液を、吐出操作部材を操作して吐出スイッチをオンし吐出手段を働かせることにより、吐出路を通じ吐出し、使用に供する電気貯湯容器に関するものである。
【背景技術】
【０００２】
この種の電気貯湯容器で、１つの操作部材を押動する操作量の違いによって、２つの吐出スイッチを２通りに働かせて吐出流量を少なめと多めとを選択して吐出できるようにしたものが既に知られており（例えば、特許文献１、２参照。）、１つの操作部材でありながら操作量の違いによって、用途や必要量の違いに応じた２通りの流量にて吐出でき便利である。
【特許文献１】特公平６−８１６１１号公報
【特許文献２】特開２００７−２７５１２８号公報
【発明の開示】
【発明が解決しようとする課題】
【０００３】
しかし、１つの操作部材を異なった操作量に使い分けて、２つの吐出スイッチを異なった状態に働かせるのは、ユーザにとって使い分け境界点が視認できず戸惑を与えるし、誤操作を招きやすい。誤操作は、特に、操作量を小さく抑えて少なめの流量で吐出するのに、それを超えて多めの流量の吐出に移行してしまう形で生じやすいが、これをユーザが予期できない不安や問題がある。
【０００４】
本発明の目的は、上記のような問題に鑑み、少なめ、多めの各流量での吐出操作が、２つの操作部材の視認できる使い分けによって、容易かつ簡単に誤操作なく吐出流量を異ならせた吐出が行える電気貯湯容器を提供することにある。
【課題を解決するための手段】
【０００５】
上記の目的を達成するためには、定置できる器体を有して、内容液をヒータで加熱して湯沸しや保温を行って貯湯し、貯湯している内容液を、吐出操作部材を操作して吐出スイッチをオンし吐出手段を働かせることにより、吐出路を通じ吐出し、使用に供する電気貯湯容器の吐出方法において、吐出流量を少なめに設定して吐出させる第１の吐出スイッチを働かせる少なめ吐出操作部材の単独操作により少なめ吐出流量での吐出と、第１の吐出スイッチと同時に働くことで吐出流量を多めに設定して吐出させる第２の吐出スイッチを働かせる多め吐出部材の操作に、少なめ吐出操作部材を連動させて第１の吐出スイッチを同時に働かせ多め吐出流量での吐出とを、選択的に行うようにすればよい。
【０００６】
このようにすれば、定置された器体の上で、少なめ吐出操作部材と多め吐出操作部材とが、レバータイプ、押しボタンタイプなどタイプの違いにかかわらず共に、視認のもと使い分け操作でき、この使い分け操作での、少なめ吐出操作部材の操作で対応する第１の吐出スイッチを働かせて吐出通路を通じ少なめ流量での吐出ができるし、多め吐出操作部材の操作で第２の吐出スイッチを働かせるのと同時に少なめ吐出操作部材を連動させて第１の吐出スイッチをも働かせて、多め流量での吐出ができる。
【０００７】
このような吐出方法を実現するのに本発明の電気貯湯容器は、定置できる器体を有して、内容液をヒータで加熱して湯沸しや保温を行って貯湯し、貯湯している内容液を、吐出操作部材を操作して吐出スイッチをオンし吐出手段を働かせることにより、吐出路を通じ吐出し、使用に供する電気貯湯容器において、吐出流量を少なめに設定して吐出させる第１の吐出スイッチと、第１の吐出スイッチと同時に働くことで吐出流量を多めに設定して吐出させる第２の吐出スイッチと、第１の吐出スイッチを単独で働かせる単独操作可能な少なめ吐出操作部材と、第２の吐出スイッチを働かせる操作に少なめ吐出操作部材を連動させて第１の吐出スイッチ７１を働かせるのと同時に第２の吐出スイッチを働かせる多め吐出部材とを備えたことを基本構成としている。
【０００８】
特に、上記基本構成において、少なめ、多め各吐出操作部材は、器体の上端の前部の上面に後部の回動支点側から前部に延びるように設けられたレバーよりなり、多め吐出操作部材の回動支点から操作点までの長さは、少なめ吐出操作部材の回動支点から操作点までの長さよりも長いことを１つの特徴としている。
【０００９】
このような構成では、特に、少なめ、多め各吐出操作部材が器体の上端の前部の上面にあることによって、視認しやすく、かつ操作しやすい上に、後部の回動支点から前部に延びるように設けられたレバーであることにより、器体にユーザが対面する前部側となる自由端を操作部として回動支点からの距離、つまりレバー比を生かした操作ができる。しかも、多め吐出操作部材の回動支点から操作点までの長さは、少なめ吐出操作部材の回動支点から操作点までの長さよりも長いことによって、多め流量での吐出操作部材であることを直感させられるし、少なめ吐出操作レ部材の回動支点から操作点までの長さは、多め吐出操作部材の回動支点から操作点までの長さよりも短いことによって、少なめ流量での吐出操作部材であることを直感させられる。
【００１２】
また、上記基本構成において、少なめ、多め各吐出操作部材の、回動支点から対応する第１、第２吐出スイッチを押動する押動点までの距離と、回動支点から操作点までの距離とのレバー比が、ほぼ同等であることを別の特徴として、少なめ、多め各吐出操作レバーの復動力を同じにして同程度の操作抵抗で操作することができる。
【００１３】
本発明のそれ以上の目的および特徴は、以下の詳細な説明で明らかになる。本発明の各特徴は、それ単独で、あるいは可能な限り種々な組合せで複合して用いることができる。
【発明の効果】
【００１４】
本発明の電気貯湯容器の基本構成によれば、定置された器体の上で、少なめ吐出操作部材と多め吐出操作部材とを視認のもと容易に使い分け操作して、少なめ吐出操作部材の操作で対応する第１の吐出スイッチを働かせて吐出通路を通じ少なめ流量での吐出と、多め吐出操作部材の操作で第２の吐出スイッチを働かせるのと同時に少なめ吐出操作部材を連動させて第１の吐出スイッチをも働かせて、多め流量での吐出とが、誤操作なしに選択的に達成されるようにできる。
【００１５】
１つの特徴によれば、特に、少なめ、多め各吐出操作部材が器体の上端の前部への張り出し部の上面にあって視認しやすく、操作しやすい上に、後部の回動支点から前部に延びるレバーであることにより、ユーザが対面する前部側となる自由端を手軽な操作部としてレバー比を生かした軽快な操作ができる。しかも、多め吐出操作部材の回動支点から操作点までの長さは、少なめ吐出操作部材の回動支点から操作点までの長さよりも長い、長さの違いによって、少なめ、多め各吐出部材による吐出流量の違いを直感させやすく、ユーザが戸惑ったり、誤操作したりするのを回避できる。別の特徴によれば、特に、少なめ、多め各吐出操作レバーの復動力を同じにして同程度の操作抵抗で操作することができる。
【発明を実施するための最良の形態】
【００１６】
以下、本発明に係る実施の形態について図１〜図１２を参照しながら詳細に説明し、本発明の理解に供する。なお、以下の説明は本発明の具体例であって、特許請求の範囲の記載の内容を限定するものではない。
【００１７】
本実施の形態は、家庭用の電気ポットの場合の一例であり、図１２に示すように、銅箔４を内蔵したステンレス鋼製の金属製の真空二重容器３と、内容液を加熱するように真空二重容器３の一重底部に当てがったヒータ１１とを備え、これらを外装ケース２に収容して器体１を構成している。真空二重容器３の一重底部には内容液を器体１外に吐出する吐出路２５が接続され、この吐出路２５は真空二重容器３と外装ケース２との間を立ち上がり、器体１の前部に吐出口２５ｄが臨んでいる。吐出路２５の途中には電動ポンプ２６が設けられ、内容液を電動にて吐出できるようにしている。これに併せ、真空二重容器３の口部３ａに通じる器体１の開口１２を開閉できるように覆う蓋１３に手動のベローズポンプ５０が設けられ、押圧板６１による押圧操作で真空二重容器３内に加圧空気を吹き込み内容液を加圧して吐出路２５を通じ押し出し外部に吐出させられるようにしている。
【００１８】
吐出路２５の立ち上がり部２５ａは透明管としてそこでの液量が器体１の図１に示す液量表示窓６２から透視できるようにしている。しかし、吐出路２５の立ち上がり部２５ａの上部に吐出流によって回転する羽根とこの羽根の回転数を検出するフォトカプラとからなる流量センサを設け、吐出の開始、終了、吐出流量、吐出量、残量などが自動的に検出するようにもできる。
【００１９】
ヒータ１１の背部には、金属製の遮熱板８７が設けられ、真空二重容器３の下面に溶接などして取り付けた取り付け金具８８にねじ８９によりねじ止めし、遮熱板８７とヒータ１１との間に金属製のバックアップ板９０およびばね部材９４を挟み込み、このばね部材９３によってヒータ１１を金属製真空二重容器３の一重底部に押し付け密着させている。
【００２０】
外装ケース２は樹脂製の底部材２１と前記肩部材２２との間に金属製の胴部２３を挟み込む組み立て構造と、肩部材２２が形成する器体２の開口１２の内周下部に設けたフランジ部にて、真空二重容器３の上端のフランジ部を下方より受け止めた吊り構造と、真空二重容器３の底部と底部材２１とを連結して双方を引き付ける図示しない引き付け構造とで相互を一体化して器体１を組上げている。
【００２１】
蓋体１３は、肩部材６の後部に設けた軸受部２４にヒンジピン２４により開閉できるように枢支している。ヒンジピン２４は蓋体１３が半開き以上の開き状態で軸受部２２の開放部２２ａを通じ出入りでき、この出入りによって蓋体１３は着脱できる。しかし、不用意な着脱を防止するために、開放部２２ａをばね２７の付勢で閉じるストッパ２８を設けてあり、ストッパ２８を開にすることで初めて着脱できるようにしている。
【００２２】
また、蓋１３は真空二重容器３からの蒸気を外部に逃がす蒸気通路３１が形成され、蓋１３の真空二重容器３内に面する位置の内側開口３１ａと、外部に露出する外面に形成された外側開口３１ｂとの間で通じるように形成されている。蒸気通路３１の途中には、器体１が横転して内容液が侵入してきた場合にそれを一時溜め込み、あるいは迂回させて、外側開口３１ｂに至るのを遅らせる安全経路３１ｃを設けてある。これにより、器体１が横転して内容液が蒸気通路３１を通じて外部に流出するまでに器体１を起こすなどの処置ができるようになる。また、蒸気通路３１には器体１の横転時に、蒸気通路３１に侵入しようとし、あるいは侵入した内容液が先に進むのを阻止するように自重などで働く転倒時止水弁３２が適所に設けられている。
【００２３】
蓋１３の前部には閉じ位置で肩部材２２側の孔などである係止部３３に係合して蓋１３を閉じ位置にロックするロック部材３４が設けられ、蓋１３が閉じられたときに係止部３３に自動的に係合するようにばね３５の付勢によってロック位置に常時突出するようにしている。これに対応して蓋１３にはロック部材３４を後退操作して前記ロックを解除するロック解除部材３６が設けられている。ロック解除部材３６は図示するように軸３７によって蓋１３に枢支されたレバータイプのものとされ、前端３６ａを親指などで押し下げて反時計回りに回動させることでロック部材３４をばね３５に抗して後退させてロックを解除し、続いてロック解除操作で起き上がった後端３６ｂを他の指で引き上げることによりロックを解除された蓋１３を持ち上げこれを開くことができる。
【００２４】
電動ポンプ２６は遠心ポンプであって真空二重容器３の直ぐ下の位置に設けられ、真空二重容器３内から流れ込む内容液を吐出路２５を通じて器体１外に臨む吐出口２５ｄに向け送りだし、吐出口２５ｄから外部に吐出させ使用に供する。
【００２５】
真空二重容器３の胴部まわりには断熱壁４１を設け、蓋体１３内にも断熱部材４２を充填し、真空二重容器３の真空空間、そこに内蔵している銅箔４をも含め全体の保温効率をさらにたかめている。
【００２６】
なお、図示していないが、外装ケース２の底部と真空二重容器３の底部との間の空間、あるいは外装ケース２の胴部と真空二重容器３のとの間に、前記電動ポンプ２６とともにヒータ１１を通電制御する制御基板５１を収容する一方、真空二重容器３の一重の底部３ｃの中央には温度センサが下方から当てがわれ、内容液のその時々の温度を検出して、湯沸しや保温モードで内容液を加熱制御する場合の温度情報を得るようにしている。
【００２７】
器体１の肩部材２２の前部には嘴状に張り出す張り出し部５２が形成され、この張り出し部５２の上面は操作面５３とされ、図３に示すように吐出流量を少なめ、多めの２種類に設定する第１、第２の吐出スイッチ７１、７２に対応する少なめ、多めの各流量での吐出を行なう２つの少なめ、多め各吐出操作部材７３、７４を設けて、少なめ、多めの各流量での吐出操作が、少なめ、多め各吐出操作部材７３、７４の視認できる使い分けによって、容易かつ簡単に誤操作なく吐出流量を異ならせた吐出が行えるようにする。また、操作面５３には、吐出操作を電気的に不能にしたりそれを解除したりする給湯ロック・解除キー７５の他、モード設定などのための他の操作部、各種操作に対応するランプ表示、あるいは選択状態や動作状態を示す液晶表示部７６を設けてある。
【００２８】
操作面３５の下方、つまり内側には前記操作および表示に対応する信号の授受および動作を行う操作基板７７が設けられて、前記第１、第２の吐出スイッチ７１、７２以外の、図９に示すような必要なスイッチ、表示部を装備し、操作面５５と協働して外部からの操作や外部への表示が行えるようにする。第１、第２の吐出スイッチ７１、７２は操作面５５に隣接の操作窓２２ａ内に収容されるもので、前記とな別の操作基板７７ａに搭載している（図３、図４、図５、図７、図８）。吐出路２５の上部は器体１における肩部材２２の張り出し部５２と外装ケース２側のパイプカバー部２ｄとの間に入った部分で逆Ｕ字状のユニット２５ｃを構成し、このユニット２５ｃに転倒時止水弁７８および前傾時止水弁７９と吐出口２５ｄを設けている。吐出口２５ｄはパイプカバー部２ｄを通じて下向きに外部に開口している。
【００２９】
外装ケース２の底部材２１の下向きの凹部２１ａ内には下方から回転座環が回転できるように嵌め合せて設けられ、器体１がテーブル面などに定置されたときに回転座環８１の上で軽く回転して向きを変えられるようにしてある。
【００３０】
本実施の形態では、特に、上記のように定置できる器体１を有して、内容液をヒータ１１で加熱して湯沸しや保温を行って貯湯し、貯湯している内容液を、吐出操作部材を操作して吐出スイッチをオンし吐出手段である電動ポンプ２６を働かせることにより、吐出路２５を通じ吐出し、使用に供する電気ポットの吐出方法として、前記第１、第２の吐出スイッチ７１、７２に対応する少なめ、多め各吐出操作部材７３、７４の視認できる使い分け操作にて誤操作なく吐出流量を少なめと多めに選択して使用できるようにするのに、吐出流量を少なめに設定して吐出させる第１の吐出スイッチ７１を働かせる少なめ吐出操作部材７３の単独操作により少なめ吐出流量での吐出と、第１の吐出スイッチ７１と同時に働くことで吐出流量を多めに設定して吐出させる第２の吐出スイッチ７２を働かせる多め吐出部材７４の操作に、少なめ吐出操作部材７３を連動させて第１の吐出スイッチ７１を同時に働かせ多め吐出流量での吐出とを、選択的に行うようにしている。これにより、定置された器体１の上で、少なめ吐出操作部材７３と多め吐出操作部材７４とが、レバータイプ、押しボタンタイプなどタイプの違いにかかわらず共に、視認のもと使い分け操作でき、この使い分け操作での、少なめ吐出操作部材７３の操作で対応する第１の吐出スイッチ７１を働かせて吐出通路２５を通じ少なめ流量での吐出ができるし、多め吐出操作部材７４の操作で第２の吐出スイッチ７２を働かせるのと同時に少なめ吐出操作部材７３を連動させて第１の吐出スイッチ７１をも働かせて、多め流量での吐出ができる。
【００３１】
この結果、定置された器体１の上で、少なめ吐出操作部材７３と多め吐出操作部材７４とを視認のもと容易に使い分け操作して、少なめ吐出操作部材の操作で対応する第１の吐出スイッチを働かせて吐出通路を通じ少なめ流量での吐出と、多め吐出操作部材７４の操作で第２の吐出スイッチを働かせるのと同時に少なめ吐出操作部材７３を連動させて第１の吐出スイッチ７１をも働かせて、多め流量での吐出とが、誤操作なしに選択的に達成されるようにできる。
【００３２】
多め吐出操作部材７４の操作時の少なめ吐出操作部材７３の連動は、図３に示す例では、少なめ吐出操作部材７３おおび多め吐出操作部材７４が隣接し合い、共に押し下げ操作するものであるのに対応して、少なめ吐出操作部材７３の多め吐出操作部材７４との隣接側に多め吐出操作部材７４の下側に入り込み、多め吐出操作部材７４の押し下げ動作時に押圧を受ける受動片７３ｂを設けることで実現しており、多め吐出操作部材７４を押し下げ操作すると、多め吐出操作部材７４は受動片７３ｂを上方から押圧して少なめ吐出操作部材７３を連動させ、多め吐出操作部材７４が対応する第２の吐出スイッチ７２を働かせるのと同時に、少なめ吐出操作部材７３は対応する第１の吐出スイッチ７１を働かせる。つまり、多め吐出操作部材７４を１つ操作するだけで、第１、第２の吐出スイッチ７１、７２が働き、多め流量での吐出が行える。また、少なめ吐出操作部材７３を押し下げ操作すると多め吐出操作部材７４から独立して押し下げられて対応する第１の吐出スイッチ７１を働かせるだけで、少なめ流量での吐出が行える。
【００３３】
このような吐出方法を実現するのに、本実施の形態の電気ポットは、吐出流量を少なめに設定して吐出させる第１の吐出スイッチ７１と、第１の吐出スイッチ７１と同時に働くことで吐出流量を多めに設定して吐出させる第２の吐出スイッチ７２と、第１の吐出スイッチ７１を単独で働かせる単独操作可能な少なめ吐出操作部材７３と、第２の吐出スイッチ７２を働かせる操作に少なめ吐出操作部材７３を連動させて第１の吐出スイッチ７１を働かせるのと同時に第２の吐出スイッチ７２を働かせる多め吐出部材とを備えたことを特徴とする電気貯湯容器によって実現することができる。
【００３４】
このような第１の吐出スイッチ７１が単独で働いたときの少なめ流量での吐出と、第１、第２吐出スイッチ７１、７２が同時に働いたときの多め流量での吐出との使い分け制御は、例えば、図９に示す制御基板５１に搭載したマイコンＩＣ８２に第１、第２の吐出スイッチ７１、７２の動作信号を入力することにより、マイコンＩＣ８２の内部機能にて第１の吐出スイッチ７１が単独で働いたときの信号にて電動ポンプ２６を低回転させて少なめ流量での吐出を実行し、第１、第２吐出スイッチ７１、７２が同時に働いたときの信号で電動ポンプ２６を高回転させて多め流量での吐出を実行させられる。電動ポンプ２６の回転数は給湯回路８３での電流、電圧の簡単な２段階制御によって行える。
【００３５】
しかも、少なめ操作部７３による少なめ吐出流量での吐出状態で、多め吐出操作部材７４を操作して第２の吐出スイッチ７２を働かせると、少なめ流量での吐出状態から多め流量での吐出状態に吐出の途切れ、停止なしに切り替えられる。また、逆に多め吐出操作部材７４を操作して第２の吐出スイッチ７２を働かせるのと同時に、少なめ吐出操作部材７３の連動により第１の吐出スイッチ７１を働かせた多め流量での吐出状態にて、少なめ吐出操作部材７３を操作位置に保持して多め吐出操作部材７４の操作を解除して復帰させると、第１の吐出スイッチ７１が働いたままで第２の吐出スイッチ７２の働きが停止するので、多め流量での吐出状態から少なめ流量での吐出状態に吐出の途切れ、停止なしに切り替えられる。
【００３６】
このような電動ポンプ２６の駆動制御の具体例につき、図１０に示す給湯ポンプ動作フローチャートを参照して説明すると、先ず第１、第２の吐出スイッチ７１、７２の押し状態を判定する。押されていなければ、吐出操作がないと判断できるので、給湯ポンプを停止状態に保つ。第１のみ押されている場合は、少なめ流量での吐出操作と判定でき、かつ、多め流量での移行がないものと定めて、オフ状態が判定されるまで、給湯ポンプを低回転駆動し続け、オフが判定されると給湯ポンプを停止する。
【００３７】
第１、第２が同時押しされている場合、多め流量での吐出操作と判定できるので、オフが判定されるまで給湯ポンプを高回転駆動し続ける。オフが判定されても、給湯の最終段階で給湯量の調整を行ったり、はね返りを防止したりするために少なめ流量での吐出に切り替えられる可能性が高いことにつき、所定時間が経過するまで給湯ポンプを低回転に切り替えて第１が押されているかを判定することを繰り返し、押されていると少なめ流量での吐出に切り替わったものとして給湯ポンプの低回転駆動を続け、第１オンが判定されないで所定時間が経過すると給湯ポンプを停止する。このような自動的な所定時間の間の給湯ポンプ低回転制御を伴う第１オンの判定による少なめ流量での吐出への切り替えは、多め吐出操作部材７４の操作による多め流量による吐出状態から、多め吐出操作部材７４の操作を解除して少なめ吐出操作部材７３の操作状態維持による少なめ流量での吐出状態への切り替え時に、第１、第２の吐出スイッチ７１、７２双方が万が一短い間でもオフするようなことがあっても、吐出の中断、一時停止を招かないようにすることができる。
【００３８】
なお、第１、第２の吐出スイッチ７１、７２および少なめ、多め各吐出操作部材７３、７４による、少なめ流量、多め流量での吐出の使い分け制御は、上記のようなマイコンＩＣ８２の内部機能によるソフト制御以外にハード回路にて実行することもできる。図１１に示す制御回路８４はそのような一例を示しており、マイコンＩＣ８３を備えて給湯ロック・解除キー７５の操作に対応した給湯ロックやその解除、電動ポンプ２６の駆動、停止など、必要なソフト制御をしながら、第１吐出キー７１の単独オン、第１、第２の吐出キー７１、７２の同時オンの違いによる少なめ流量に対応する低回転駆動と、多め流量に対応する高回転駆動とを給湯回路８３での抵抗の違いによって行うようにしている。
【００３９】
また、第１の吐出スイッチ７１のオン、第２の吐出スイッチ７２のオンのそれぞれにつき、少なめ流量での吐出モードを設定しておき、第１の吐出スイッチ７１のオンによって少なめ流量での吐出が行われ、第１、第２の吐出スイッチ７１、７２のオンによってそれぞれに設定されている少なめ流量での吐出モードの重複実施によって、多め流量での吐出になるように制御することもできる。
【００４０】
さらに詳述すると、図１〜図５に示す例、図６〜図８に示す例のそれぞれは、少なめ、多め各吐出操作部材７３、７４を、器体１の上端の前部への張り出し部５２の上面に後部の回動支点９１、９２側から前部に延びるように設けられたレバーよりなり、図１に両例を代表して示すように、多め吐出操作部材７４の回動支点９１から操作点７４ａまでの長さＬ１は、少なめ吐出操部材７３の回動支点９２から操作点７３ａまでの長さＬ２よりも長くしている。これにより、少なめ、多め各吐出操作部材７３、７４が器体１の上端の前部への張り出し部５２の上面にあることによって、視認しやすく、かつ操作しやすい上に、後部の回動支点９１，９２から前部に延びるように設けられたレバーであることにより、器体１にユーザが対面する前部側となる自由端を操作点７３ａ、７４ａとして回動支点９１、９２からの距離Ｌ１、Ｌ２、つまりレバー比を生かした操作ができる。しかも、多め吐出操作部材７４の回動支点９１から操作点７４ａまでの長さＬ１は、少なめ吐出操作部材７３の回動支点９２から操作点７３ａまでの長さＬ２よりも長いことによって、多め吐出操作部材７４が多め流量での吐出操作部材であることを直感させられるし、少なめ吐出操作部材７３の回動支点９２から操作点７３ａまでの長Ｌ２さは、多め吐出操作部材７４の回動支９１から操作点７４ａまでの長さＬ１よりも短いことによって、少なめ吐出操作部材７３が少なめ流量での吐出操作部材であることを直感させられる。
【００４１】
この結果、少なめ、多め各吐出操作部材７３、７４が器体１の上端の前部への張り出し部の上面にあって視認しやすく、操作しやすい上に、後部の回動支点９１、９２から前部に延びるレバーであることにより、ユーザが対面する前部側となる自由端を手軽な操作点７３ａ、７４ａとしてレバー比を生かした軽快な操作ができる。しかも、多め吐出操作部材７４の回動支点９１から操作点７４ａまでの長さＬ１は、少なめ吐出操作部材７３の回動支点９２から操作点７３ａまでの長さＬ２よりも長い、長さの違いによって、少なめ、多め各吐出部材７３、７４の操作による吐出流量の違いを直感させやすく、ユーザが戸惑ったり、誤操作したりするのを回避できる。このような少なめ、多めの違いは、少なめ、多め各吐出操作部材７３、７４の図示するような幅Ｂ１、Ｂ２の大、小の違い、特に、操作点７３ａ、７４ａでの操作部幅Ｂ１、Ｂ２の大、小の違いによっても直感させられ、る。長さ、幅双方の違いの併用によって前記直感効果はさらに高まる。
【００４２】
また、少なめ、多め各吐出操作部材７３、７４が操作面５５に隣接し、かつ吐出口２５ｄに近いことによって、表示とともに吐出、給湯に関する操作部材であることはさらに直感されやすいし、図１〜図５に示す例のように少なめ、多め各吐出操作部材７３、７４の操作点７３ａ、７４ａが器体１の張り出し部５２の先端からさらに前方に張り出していることにより、その存在に気付かれやすいし、レバー操作もされやすいので、給湯操作に便利なものとなる。もっとも、図６〜図８に示す例のように、少なめ、多め各吐出操作部材７３、７４双方を器体１の張り出し部５２の上面内に納めて、コンパクト化、外形のシンプル化を図ることもできる。
【００４３】
さらに、図１に代表して示すように、多め吐出操作部材７４の回動支点９１から第２の吐出スイッチ７２を押動する押動点７４ｂまでの距離Ｌ１ａは、少なめ吐出操作部材７３の回動支点９２から第１の吐出スイッチ７１を押動する押動点７３ｂまでの距離Ｌ２ａよりも大きくしている。このように、長さの違う少なめ、多め各吐出操作部材７３、７４において、長い多め吐出操作部材７４の回動支点９１から第２の吐出スイッチ７２に対する押動点７４ｂまでの距離Ｌ１ａを、短い少なめ吐出操作部材７３の回動支点９２から第１の吐出スイッチ７１に対する押動点７３ｂまでの距離Ｌ２ａよりも大きくすることにより、第１、第２の各吐出スイッチ７１、７２を働かせる操作時のレバー比を互いの長さの違いにかかわらず近づけ、または同等にすることができる。ここに、少なめ、多め各吐出操作部材７３、７４の、回動支点９１、９２から対応する第１、第２吐出スイッチ７１、７２を押動する押動点７３ｂ、７４ｂまでの距離Ｌ１ａ、Ｌ２ａと、回動支９１、９２から操作点７４ａ、７３ａまでの距離Ｌ１、Ｌ２とのレバー比（Ｌ１：Ｌ１ａとＬ２：Ｌ２ａと）が、ほぼ同等とすることができ、少なめ、多め各吐出操作部材７３、７４の復動力を同じにして同程度の操作抵抗で操作することができる。
【００４４】
図１〜図５に示す例では、図４、図５に示すように、少なめ、多め各吐出部材７３、７４は、それらの後部基片７３ｃ、７４ｃが肩部材２２とその内側にねじ９５により固定された底カバー９６との間に挟み込んで固定され、高部基片７３ｃ、７４ｃから立ち上がる立ち上がり脚７３ｄ、７４ｄを有して、回動支点９１、９２側から操作点７３ａ、７４ａに向け、操作面５５に沿った前傾姿勢となるように設けてあり、立ち上がり脚７３ｄ、７４ｄの途中を回動支点９１、９２上に屈曲支点有した樹脂ヒンジ部７３ｅ、７４ｅとしてある。これによって、少なめ、多め各吐出部材７３、７４は、樹脂ヒンジ部７３ｅ、７４ｅでの弾性的な屈曲を伴い、操作点７３ａ、７４ａ側で押し下げ操作され、操作を解除されると樹脂ヒンジ部７３ｅ、７４ｅの弾性復帰によって少なめ、多め各吐出部材７３、７４は操作前の状態に自動復帰されるようにしている。なお、少なめ、多め各吐出部材７３、７４の後端部の内側段部７３ｈ、７４ｈが肩部材２２の操作窓２２ａの段部に下方から受けられ、上面側からの押し下げ負荷が樹脂ヒンジ部７３ｅ、７４ｅに及ぶのを防止している。
【００４５】
これに対し、図６〜図７に示す例では、図７、図８に示すように少なめ、多め各吐出部材７３、７４と底カバー９６との間に働かせたばね９７、９８の付勢によって自動復帰されるようにしている。併せ、少なめ、多め各吐出部材７３、７４はばね９７、９８により上動付勢されるのを利用して、後端部上向き段部７３ｆ、７４ｆを肩部材２２の操作窓２２ａの後部縁に下方より引っ掛けてそれ以上上動されないし、操作点７３ａ、７４ａでの押し下げ操作時の回動支点９１、９２となるようにしている。回動支点９１、９２を中心とした少なめ、多め各吐出部材７３、７４の操作点７３ａ、７４ａ側の操作窓２２ａからの上方への飛び出しは、少なめ、多め各吐出部材７３、７４の先端が操作窓２２ａの前部縁との当接によって防止されている。この例では、少なめ、多め各吐出部材７３、７４の支持構造が簡略化する。
【００４６】
また、底カバー９６は図示例のように第１、第２の吐出スイッチ７１、７２を収容し、肩部材２２との間に挟み込んだシール部材９９でシールし、操作窓２２ａを通じた水の侵入があっても第１、第２の吐出スイッチ７１、７２が影響を受けない防水効果は発揮される。さらに、第１、第２の吐出スイッチ７１はタクトスイッチ、７２はマイクロスイッチとしているが、これは少なめ吐出部材７３の操作ストロークが小さく、多め吐出部材７４の操作ストロークが大きいことに対応したものであるが、双方共にタクトスイッチとしてよいのは勿論である。図示例では、底カバー９６とシール部材９９との間には弾性パッド１００を挟み込んで、少なめ、多め各吐出部材７３、７４の押動点７３ｂ、７４ｂにある押動突起７３ｇ、７４ｇとこれらに対応する第１、第２の吐出スイッチ７１、７２間のギャップの過不足を吸収できるようにしている。
【産業上の利用可能性】
【００４７】
本発明は家庭用の電気ポットに実用して、なめ、多めの各流量での吐出操作の視認できる使い分けにて、容易かつ簡単に誤操作なく吐出流量を異ならせた吐出が行える。
【図面の簡単な説明】
【００４８】
【図１】本発明に係る電気貯湯容器の１つの例を示す器体上部における吐出操作部材設置部まわりの斜視図である。
【図２】図１の吐出操作部材設置部の平面図である。
【図３】図２の横断面図である。
【図４】図２の多め吐出操作部材設置部の縦断面図である。
【図５】図２の少なめ吐出操作部材設置部の縦断面図である。
【図６】本発明に係る電気貯湯容器の他の例を示す器体上部における吐出操作部材設置部まわりの平面図である。
【図７】図６の多め吐出操作部材設置部の縦断面図である。
【図８】図６の少なめ吐出操作部材設置部の縦断面図である。
【図９】図１〜図６の電気貯湯容器における制御回路のブロック図である。
【図１０】図９の制御回路による吐出制御例を示すフローチャートである。
【図１１】図５〜図８に示す電気貯湯容器の制御回路図である。
【図１２】本発明の各例の電気貯湯容器に共通した内部構造例を示す断面図である。
【符号の説明】
【００４９】
１  器体
３  金属製真空二重容器
１１  ヒータ
１２  開口
１３  蓋体
２２  肩部材
２２ａ  操作窓
２５  吐出路
２５ｄ  吐出口
２６  電動ポンプ
５０  操作面
５２  張り出し部
５５  操作面
７１  第１の吐出操作スイッチ
７２  第２の吐出操作スイッチ
７３  少なめ吐出操作部材
７４  多め吐出操作部材
７３ａ、７４ａ  操作点
７３ｂ、７４ｂ  押動点
９１、９２  回動支点
Ｌ１、Ｌ１ａ、Ｌ２、Ｌ２ａ  距離
【図１】
0005298600.tif 000002
【図２】
0005298600.tif 000003
【図３】
0005298600.tif 000004
【図４】
0005298600.tif 000005
【図５】
0005298600.tif 000006
【図６】
0005298600.tif 000007
【図７】
0005298600.tif 000008
【図８】
0005298600.tif 000009
【図９】
0005298600.tif 000010
【図１０】
0005298600.tif 000011
【図１１】
0005298600.tif 000012
【図１２】
0005298600.tif 000013